(57)【要約】【課題】可視的な表示等に依存することなくメール等の送信状態を認識することを可能とする。【解決手段】予めメール送信状態（「送信中」、「送信完了」及び「送信失敗」等）及びダウンロード状態（「ダウンロード中」、「ダウンロード完了」及び「ダウンロード失敗」等）に応じた報知音及び報知期間等を記憶部７に設定しておくことにより、使用者がメールを作成し送信ボタンを押下した後のメール送信状態をスピーカー５から鳴動される「メロディ」又は「音声」によって容易に認識することを可能とする。【選択図】        図２
2004318435.tif 000002
【特許請求の範囲】
【請求項１】
メール機能を備える通信機器のメール送信状態報知方法であって、メール送信状態をメロディ又は音声により報知することを特徴とするメール送信状態報知方法。
【請求項２】
前記通信機器は、ネットワーク上のコンテンツサーバからのダウンロード機能を備え、ダウンロード状態をメロディ又は音声により報知することを特徴とする請求項１記載のメール送信状態報知方法。
【請求項３】
前記メール送信状態には、送信中、送信終了及び送信失敗の状態を含み、それぞれに応じてメロディ又は音声の種類により異なる報知を行うことを特徴とする請求項１又は２記載のメール送信状態報知方法。
【請求項４】
携帯電話機等のメール機能を備える通信機器であって、メール送信状態に対応してメロディ又は音声の種類を記録する設定テーブルと、メール送信状態に応じて前記設定テーブルを参照して記録されたメロディ又は音声の種類により、当該送信状態を報知する制御部とを備えることを特徴とする通信機器。
【請求項５】
ネットワーク上のコンテンツサーバからのダウンロード機能を備え、前記設定テーブルにはダウンロード状態に対応するメロディ又は音声の種類を記録可能であり、前記制御部は、ダウンロード状態に応じて前記設定テーブルを参照して記録されたメロディ又は音声の種類により、当該ダウンロード状態を報知することを特徴とする請求項４記載の通信機器。
【請求項６】
前記メール送信状態及びダウンロード状態には、送信中、送信終了及び送信失敗の状態を含み、前記制御部はそれぞれに応じてメロディ又は音声の種類が異なる報知を行うことを特徴とする請求項４又は５記載の通信機器。
【発明の詳細な説明】
【０００１】
【発明が属する技術分野】
本発明は、通信機器のメールの送信報知に関し、特に、メール送信等の動作を確認可能なメール送信状態報知方法及びメール送信状態報知機能付きの通信機器に関する。
【０００２】
【従来の技術】
電子メール（メール）の送受信機能（メール送受信機能）を有する携帯電話機においては、使用者がメール作成を行い送信先への送信操作を行った後に、携帯電話機１側で網より受けた通知により、「メールが正しく送信できなかった」旨のメッセージにより送信エラー等を液晶表示部に通知したり（特許文献１）、また、携帯電話機１側でのタイマーを用いて送信にかかる時間を監視して所定の送信時間がオーバーした場合に送信失敗等として検出し、その検出結果を液晶表示部に表示させて確認を行っていた。
【０００３】
【特許文献１】
特開２００２−２０７６７４号公報
【０００４】
【発明が解決しようとする課題】
しかし、昨今の携帯電話機等の通信機器においては、テキスト送信以外にも、メロディデータを添付して送信したり、画像データを添付して送信したりすることもあり、送信可能なデータ量も増加してきており、送信が完了するまでの必要な時間が長くなってきている。
【０００５】
このように、従来の送信の確認方法は視覚でしか状態確認ができないので、使用者は送信時間の長いメール等の送信動作について送信完了等を確認するには、送信開始から完了まで液晶表示部に表示されるメッセージを見続けていなければならないという欠点があった。
【０００６】
又、使用者が送信ボタンを押下してから送信中の時間が長いために携帯電話機１を手元から離し他の作業等を行っている場合、送信失敗になっても即座に報知されないという問題もあった。
【０００７】
同様のことが、コンテンツサイトからの画像データ、メロディデータ、音声データ等のダウンロードを実施しているときにも言え、ダウンロードが完了するまで液晶表示部に表示されるメッセージを見続けなければ、現在のダウンロードの動作状態は認識できないという問題もあった。
【０００８】
本発明の目的は、上記問題を解決するものであり、使い勝手を向上させることを可能とする携帯電話機を提供することにある。
本発明の目的は、可視的な表示等に依存することなくメール送信の動作状態を認識することを可能とすることにある。
本発明の目的は、可視的な表示等に依存することなくダウンロードの動作状態を認識することを可能とすることにある。
【０００９】
【課題を解決するための手段】
メール送受信機能を有する携帯電話機等の通信機器において、予めメールの送信状態（メールの送信中、送信完了、送信失敗等、「メール送信状態」という。）に応じた報知音を設定しておくことで、使用者が、メールを作成し送信ボタンを押下した後のメール送信状態をスピーカーから鳴動する「メロディ」又は「音声」によって容易に認識することを可能とする。
【００１０】
本発明のメール送信状態報知方法は、メール機能を備える通信機器のメール送信状態報知方法であって、メール送信状態をメロディ又は音声により報知することを特徴とする。前記通信機器は、ネットワーク上のコンテンツサーバからのダウンロード機能を備え、ダウンロード状態をメロディ又は音声により報知することを特徴とする。更に、前記メール送信状態には、送信中、送信終了及び送信失敗の状態を含み、それぞれに応じてメロディ又は音声の種類により異なる報知を行うことを特徴とする。
【００１１】
本発明の通信機器は、携帯電話機等のメール機能を備える通信機器であって、メール送信状態に対応してメロディ又は音声の種類を記録する設定テーブル（図４、８）と、メール送信状態に応じて前記設定テーブルを参照して記録されたメロディ又は音声の種類により、当該送信状態を報知する制御部（図２の６）とを備えることを特徴とする。また、ネットワーク上のコンテンツサーバからのダウンロード機能を備え、前記設定テーブル（図４、８）にはダウンロード状態に対応するメロディ又は音声の種類を記録可能であり、前記制御部（図２の６）は、ダウンロード状態に応じて前記設定テーブルを参照して記録されたメロディ又は音声の種類により、当該ダウンロード状態を報知することを特徴とする。更に、前記メール送信状態及びダウンロード状態には、送信中、送信終了及び送信失敗の状態を含み、前記制御部（図２の６）はそれぞれに応じてメロディ又は音声の種類が異なる報知を行うことを特徴とする。
【発明の実施の形態】
本発明のメール送信状態報知方法及び通信機器の一実施の形態について図面を参照して詳細に説明する。
（構成の説明）
図１は、本実施の形態のメール送信状態報知機能付き携帯電話機の外観を示す図である。携帯電話機１の前面には、使用者が各種設定等を行うキー操作部２と各種の設定画面、メール画面、画像や各種コンテンツを表示するための液晶表示部３と、が設けられ、背面には着信やメール送信状態を報知させるスピ−カー５が設けられ、上面には音声又はパケット通信を行うためのアンテナ４が設けられている。
【００１２】
図２は、携帯電話機１の内部回路の構成を示すブロック図である。プログラム及び各種データを記憶するメモリ、ハードディスク等の記憶部７と、携帯電話機の各種の設定画面、送信及び受信に関連する各種表示及び送受信メール、ダウンロードコンテンツ等を表示する液晶表示部３と、機能設定操作、データの入力等、各種の入力操作を行うためのキー操作部２と、本発明の報知及び通信用の音声を出力するスピーカー５と、電波を送受し基地局と無線通信を行うためのアンテナ４を有する無線部８と、携帯電話機の各種機能をソフトウエアにより制御し動作させる制御部６とから構成される。各部の機能は以下のとおりである。
【００１３】
記憶部７は、制御部６における携帯電話機の各種機能を実現する制御用のプログラム及び本発明のメール送信の状態報知に関連する情報として、例えば予め入力され又はコンテンツサイトからダウンロードしたメロディデータ／音声データ、メール送信状態に応じて報知制御を行うために参照する情報を登録するメール送信状態報知テーブル等を記録する機能を有する。
【００１４】
キー操作部２は、テンキー、機能キー及び各種スイッチ類等で構成され、制御部６に対し各種の設定、ダイヤル等の入力、メール文作成等の操作機能を有する。スピーカー５は、携帯電話機１の通常の通話に加え、着信時の通常の音声報知、及び本発明のメール送信における送信状態の音声又はメロディによる報知を行う機能を有する。
【００１５】
液晶表示部３は、制御部６から表示情報を入力し通話及びメールに関連する各種情報を表示し、また、各種設定画面の表示を行う機能を有する。無線部８は、基地局との間で無線通信を行い、制御部６からの送信信号を変調して基地局に送信し、基地局から受信した網からの受信信号及び各種の制御信号等を復調して制御部６に出力する。
【００１６】
制御部６は、記憶部７に記憶されたプログラム及び各種のデータにより動作し、基地局との間のメール及び電話通信のための発着信、ハンドオーバー等、通信制御機能、メール作成及び送受信の処理機能等、その他、携帯電話機１のパケット通信制御等を含む殆どの制御機能を有し、特に、報知機能に関しては、キー操作部２からの設定操作により、記憶部７に記憶された設定画面のデータに基づいてメール送信状態の報知の設定、及び報知音又はメロディの設定、報知時間の設定、メール送信操作後の送信状態に応じてメール送信状態報知テーブルを参照して報知音及びメロディを切り替え報知する等の制御を行う機能を有する。
【００１７】
次に、本実施の形態のメール送信状態の報知機能の概要について説明する。メール送信状態の確認には、通常の液晶表示部３による可視的表示によるものの外に、設定により音声又はメロディによる報知を可能としている。メール送信状態の報知は、液晶表示部３にメール送信状態報知に関する設定画面を表示して設定操作を行うことにより可能となる。また、この設定時には、記憶部７のメール送信状態報知テーブルへのメロディや音声の登録及びメロディや音声の報知期間等の報知態様の設定が可能である。
【００１８】
図３はメール送信状態報知に関する設定画面の例を示す図であり、図４はメール送信状態報知テーブルの内容及び設定画面の例を示す図である。図３に示す設定画面では、メール送信状態報知の設定ＯＮ／ＯＦＦと選択ＹＥＳ／ＮＯの表示を含む。図４に示すメール送信状態報知テーブルは、メール送信中「送信中」、メール送信完了時「送信完了」及びメール送信誤り時「送信失敗」等のメール送信状態と、それぞれに対する報知メロディ「メロディ」又は報知音声「音声」の選択、設定及び報知期間（秒数）の数値設定からなる。例えば各メロディＮｏ（番号）欄を選択時に複数のメロディ選択画面を表示し、何れかを選択可能な設定手法が採用される。
【００１９】
以下、本実施の形態の携帯電話機１のメール送信状態の報知に関する使用者の操作及び制御部の機能について説明する。
携帯電話機１の使用者は、メール送信状態の確認を「メロディ」又は「音声」の種類によって行いたい場合、キー操作部２から報知設定機能を選択し、液晶表示部３に設定画面を表示させ、画面に表示されているメール送信状態報知の表示において、ＹＥＳを選択し、設定ＯＮとして「メロディ」又は「音声」の報知設定を行う。更にメール送信状態とスピーカー５より鳴動する「メロディ」又は「音声」の番号Ｎｏ．＊＊及びその鳴動期間＊＊秒間を設定する。つまり「所定のメール送信状態になったらスピーカー５よりＮｏ．＊＊の「メロディ」又は「音声」を＊＊秒間鳴動させる」という内容を予め設定する。制御部６は、キー操作部２により設定された情報を記憶部７に記憶する。例えば、メール送信状態報知テーブルに、メール送信中の報知内容、メール送信完了時の報知内容、メール送信誤り時等のメール送信失敗時の報知内容等を記憶する。
【００２０】
使用者はキー操作部２によりメール機能を起動し、新規メール等の宛先／題名／本文等、メール作成を行った後、送信ボタンを押下する。制御部６は送信ボタンの押下により送信開始を検出し、無線部８へ送信データを出力する。無線部８は制御部６より入力された送信データを変調及び増幅してアンテナ４より送信する。送信している間、制御部６は現在相手先と接続されているか、送信完了になったか、送信失敗になったか等、網からの送信状態の情報を無線部８で受信される受信データにより検出する。更に制御部６は、経時的に検出される現在の送信状態の情報に応じて、記憶部７に記憶されているメール送信状態報知テーブルから各状態毎に設定した報知内容を読み出し、設定情報に基づいてスピーカー５の鳴動を制御し使用者に報知する。
（動作の説明）
図５は本実施の形態のメール送信状態報知の設定処理を示すフローチャートであり、図６はメール送信後の報知処理を示すフローチャートである。以下、図３〜図６を参照してメロディ又は音声によるメール送信状態の報知の処理動作を説明する。
【００２１】
最初に、図５によりメール送信状態報知の設定について説明する。使用者はキー操作部２により液晶表示部３に図３に示すメール送信状態報知の設定画面を表示させ、メール送信ボタンの押下後の「送信中」、「送信完了」及び「送信失敗」等のメール送信状態をスピーカー５から鳴動する「メロディ」又は「音声」の種類で報知させるメール送信状態報知を行うか否かを設定する（ステップ１１）。メール送信状態報知を行う設定を選択すると、制御部６は液晶表示部３に図５に示すメール送信状態報知テーブルの設定画面を表示する。次に、使用者はキー操作部２により液晶表示部３の設定画面で、「送信中」、「送信完了」及び「送信失敗」等の送信状態を報知するメロディ又は音声の種類を選択、設定し、更に鳴動時間（秒数）を設定する。これらの設定情報は制御部６によりメモリ３２に記憶され、メール送信状態報知が設定される（ステップ１２）。また、ステップ１１でメール送信状態報知の設定を行わない場合、メール送信後に通常の液晶表示を行う設定が行われる（ステップ２４）。
【００２２】
次に、図６に示すメール送信状態報知の設定後のメールの送信動作について説明する。使用者がキー操作部２によりメール機能を起動し液晶表示部３で新規メールを作成し（ステップ１３）、送信ボタンを押下すると（ステップ１４）、制御部６は記憶部７のメール送信状態報知テーブルを参照し、メール送信中に報知するメロディ又は音声の情報を読み出し、設定されたメロディ又は音声をスピーカー５より鳴動を開始し（ステップ１５）、送信完了するまで送信期間中、常時鳴動させ、使用者に正常に送信中であることを報知する（ステップ１６、２０）。
【００２３】
その後、送信相手先へのメール送信が正常に完了した場合には（ステップ１６）、制御部６は記憶部７のメール送信状態報知テーブルを参照し、メール送信完了時に報知する「メロディ」又は「音声」の情報を読み出し、当該「メロディ」又は「音声」をスピーカー５より鳴動を開始し（ステップ１７）、記憶部７のメール送信状態報知テーブルから報知期間（秒数）を読み出し、その設定期間（秒数）まで鳴動し、設定期間を経過すると（ステップ１８）、鳴動を終了する（ステップ１９）ことにより使用者に「送信完了」の状態を報知する。
【００２４】
また、ステップ１６において、送信開始後、電波が弱い等の事情による接続不可の場合や、相手先指定間違いなどによる送信失敗の状態になった場合には（ステップ２０）、制御部６は記憶部７のメール送信状態報知テーブルを参照し、メール送信失敗時に報知する「メロディ」又は「音声」の情報を読み出し、「メロディ」又は「音声」をスピーカー５より鳴動を開始し（ステップ２１）、記憶部７のメール送信状態報知テーブルから報知期間（秒数）を読み出し、その設定期間（秒数）まで鳴動し、設定期間を経過すると（ステップ２２）、鳴動を終了する（ステップ２３）ことにより使用者に「送信失敗」の状態を報知する。
【００２５】
ここで、「送信中」はスピーカー５を継続して鳴動させるように設定し、「送信完了／送信失敗」時には所定の数秒間のみ鳴動するように設定する。これは「送信中」と「送信完了／送信失敗」の状態を使用者が区別可能にするものである。この設定は使用者によって任意に設定可能であり、それぞれのメロディ又は音声の種類は異なるように設定可能である。
なお、図５のステップ１１において、以上の設定を行わない場合には、制御部６は通常どおりメール送信結果を表すメッセージを液晶表示部３に表示させて報知する（ステップ２４）。
【００２６】
（他の実施の形態）
以上の実施の形態では、メール送信状態に応じた「メロディ」又は「音声」をスピーカー５より鳴動させ報知させる例を示したが、他の実施の形態として、コンテンツサイトからの「画像データ」、「メロディデータ」、「音声データ」のダウンロードの実施においても、ダウンロードの動作状態に応じた「メロディ」又は「音声」をスピーカー５より鳴動させることにより報知するように構成することができる。使用者は液晶表示部３に表示されるメッセージをダウンロード完了まで見続けなくても良く、煩わしい時間を無くすことが出来る。
【００２７】
図７、図８は、それぞれダウンロード状態報知及びダウンロード状態報知テーブルの設定画面を示す図である。また、図９、１０は本実施の形態の処理動作を示すフローチャートである。以下、図７〜図１０を参照して本実施の形態の処理動作を説明する。
最初に、図９によりダウンロード状態報知の設定について説明する。使用者はキー操作部２により液晶表示部３に図７に示すダウンロード状態報知の設定画面を表示させ、ダウンロード開始ボタンの押下後の「ダウンロード中」、「ダウンロード完了」及び「ダウンロード失敗」等のダウンロード状態を「メロディ」又は「音声」の種類で報知させるか否かを設定する（ステップ６１）。この設定を行うと制御部６は液晶表示部３に図８に示すダウンロード状態報知テーブルを表示する。次に、使用者はダウンロード状態報知テーブルに、ダウンロード状態に対して報知させる「メロディ」又は「音声」の種類の選択及び鳴動期間（秒数）の設定し（ステップ６２）。これらの設定情報は制御部６によりメモリ３２に記憶される。また、ステップ６１でダウンロード状態報知の設定を行わない場合、ダウンロード開始後に通常の液晶表示を行う設定が行われる（ステップ７３）。
【００２８】
次に、図１０に示すダウンロード状態報知の設定後のダウンロード動作について説明する。使用者がキー操作部２によりダウンロード機能を起動しコンテンツサイトにアクセスを行い、そのコンテンツサイトから画像データ、メロディデータ、音声データ等のダウンロードを開始すると（ステップ６３）、制御部６は記憶部７のダウンロード状態報知テーブルを参照し、ダウンロード中に報知するメロディ又は音声の情報を読み出し、設定されたメロディ又は音声をスピーカー５より鳴動を開始し（ステップ６４）、ダウンロードが完了するまで送信期間中は常時鳴動させ、使用者に正常にダウンロード中であることを報知する（ステップ６５、６９）。
【００２９】
その後、使用者の端末へのダウンロードが正常に完了した場合には（ステップ６５）、制御部６は記憶部７のダウンロード状態報知テーブルを参照し、ダウンロード完了時に報知する「メロディ」又は「音声」と報知秒数の情報を読み出し、当該「メロディ」又は「音声」をスピーカー５より鳴動を開始し（ステップ６６）、記憶部７のダウンロード状態報知テーブルから報知期間（秒数）を読み出し、その設定期間（秒数）まで鳴動し、設定期間（秒数）が経過すると（ステップ６７）、鳴動を終了する（ステップ６８）ことにより使用者に「ダウンロード完了」の状態を報知する。
【００３０】
また、ステップ６５において、ダウンロード開始後、電波が弱い等による接続不可の場合や、接続時間オーバーなどによりダウンロードの失敗の状態になった場合には（ステップ６９）、制御部６は記憶部７のダウンロード状態報知テーブルを参照し、ダウンロード失敗時に報知する「メロディ」又は「音声」の情報を読み出し、当該「メロディ」又は「音声」の鳴動を開始し（ステップ７０）、記憶部７のダウンロード状態報知テーブルから報知期間（秒数）を読み出し、その設定期間（秒数）まで鳴動し、設定期間（秒数）を経過すると（ステップ７１）、鳴動を終了する（ステップ７２）ことにより使用者に「ダウンロード失敗」の状態を報知する。
【００３１】
なお、図７に示すステップ６１において、以上の設定を行わない場合には（ステップ７３）、制御部６は通常どおりダウンロード結果を表すメッセージを液晶表示部３に表示させて報知する。
【００３２】
【発明の効果】
本発明によれば、メールの送信操作後のメールの送信動作等、メール送信状態に応じて、それぞれの状態を「メロディ」又は「音声」等の異なる種類、期間の報知を行うように構成しているため、使用者は液晶表示部に表示されるメッセージを送信完了まで見続けなくても良く、「送信中」、「送信完了」及び「送信失敗」等のメール送信状態を使用者が簡易に認識でき煩わしい時間を無くすことが可能である。また、携帯電話機から離れていても音が聞こえる距離であればメール操作後のメール送信動作を認識することが可能である。更に、メール送信状態に加え、ダウンロードの受信状態（受信中、受信完了、受信失敗等）を簡易に認識することができる。
【００３３】
また、報知音等を着信時の着メロの設定と同様に自分で好みに応じてメール送信状態の「メロディ」又は「音声」等の鳴動を設定することができるので、使用者の趣味／好みに応じた要求を満たすことが可能である。受信の完了通知が出るまでの煩わしい時間を自分の趣味・好みのメロディ等を流すことにより有効に活用できる。
【００３４】
【図面の簡単な説明】
【図１】本発明のメール送信状態報知機能付きの携帯電話機の外観を示す図である。
【図２】携帯電話機の内部回路の構成を示すブロック図である。
【図３】メール送信状態報知に関する設定画面の例を示す図である。
【図４】メール送信状態報知テーブルの設定画面の例を示す図である。
【図５】メール送信状態報知の設定を示すフローチャートを示す図である。
【図６】メール送信に関する報知処理を示すフローチャートである。
【図７】ダウンロード状態報知に関する設定画面の例を示す図である。
【図８】ダウンロード状態報知テーブルの設定画面の例を示す図である。
【図９】ダウンロード状態報知の設定処理を示すフローチャートである。
【図１０】ダウンロードに関する報知処理を示すフローチャートである。
【符号の説明】
２  キー操作部
３  液晶表示部
４  アンテナ
５  スピーカー
６  制御部
７  記憶部
８  無線部
【図１】
2004318435.tif 000003
【図２】
2004318435.tif 000004
【図３】
2004318435.tif 000005
【図４】
2004318435.tif 000006
【図５】
2004318435.tif 000007
【図６】
2004318435.tif 000008
【図７】
2004318435.tif 000009
【図８】
2004318435.tif 000010
【図９】
2004318435.tif 000011
【図１０】
2004318435.tif 000012